(57)【要約】【課題】本開示は、超音波計測技術を用いて、物標を検出するにあたり、近距離の物標の検出を可能にし、物標の位置及び速度の検出を高精度にし、振動素子の不要な発熱を抑制することを目的とする。【解決手段】本開示は、超音波振動子から物標への超音波送信を制御する超音波送信制御装置であって、超音波振動子から物標へ照射される超音波を生成するための、自装置から超音波振動子へ送信される送信信号を生成する送信信号生成部と、送信信号生成部からの送信信号が矩形波であるとしたときの、超音波振動子からの照射信号の立ち下がり時及び立ち上がり時のリンギングの周波数成分が、矩形波の立ち下がり近傍及び立ち上がり近傍から除去された信号波を、送信信号生成部からの送信信号とするための、送信信号生成部へ出力される制御信号を生成する送信信号フィルタ部と、を備えることを特徴とする超音波送信制御装置である。【選択図】図４
2018021786.tif 000002
【特許請求の範囲】
【請求項１】
超音波振動子から物標への超音波送信を制御する超音波送信制御装置であって、
前記超音波振動子から物標へ照射される超音波を生成するための、自装置から前記超音波振動子へ送信される送信信号を生成する送信信号生成部と、
前記送信信号生成部からの前記送信信号が矩形波であるとしたときの、前記超音波振動子からの照射信号の立ち下がり時のリンギングの周波数成分が、前記矩形波の立ち下がり近傍から除去された信号波を、前記送信信号生成部からの前記送信信号とするための、前記送信信号生成部へ出力される制御信号を生成する送信信号フィルタ部と、
を備えることを特徴とする超音波送信制御装置。
【請求項２】
前記送信信号フィルタ部は、前記送信信号生成部からの前記送信信号が前記矩形波であるとしたときの、前記超音波振動子からの照射信号の立ち上がり時のリンギングの周波数成分が、前記矩形波の立ち上がり近傍から除去された信号波を、前記送信信号生成部からの前記送信信号とするための、前記送信信号生成部へ出力される前記制御信号を生成する
ことを特徴とする、請求項１に記載の超音波送信制御装置。
【請求項３】
超音波振動子から物標への超音波送信を制御する超音波送信制御装置であって、
前記超音波振動子から物標へ照射される超音波を生成するための、自装置から前記超音波振動子へ送信される送信信号を生成する送信信号生成部と、
（１）前記送信信号生成部からの前記送信信号が矩形波であるとしたときの、前記超音波振動子からの照射信号の立ち下がり時のリンギングがなくなるように、前記送信信号生成部からの前記送信信号の立ち下がりの速度を設定するとともに、（２）物標の位置及び速度のうちの少なくともいずれかの検出精度が所定精度になるように、前記超音波振動子からの照射信号の最大パワーの維持時間を設定するために、前記送信信号生成部からの前記送信信号の最大パワーの維持時間を設定するための、前記送信信号生成部へ出力される制御信号を生成する送信信号合成部と、
を備えることを特徴とする超音波送信制御装置。
【請求項４】
前記送信信号合成部は、（３）前記送信信号生成部からの前記送信信号が前記矩形波であるとしたときの、前記超音波振動子からの照射信号の立ち上がり時のリンギングがなくなるように、前記送信信号生成部からの前記送信信号の立ち上がりの速度を設定するための、前記送信信号生成部へ出力される前記制御信号を生成する
ことを特徴とする、請求項３に記載の超音波送信制御装置。
【請求項５】
超音波振動子から物標への超音波送信を制御する超音波送信制御プログラムであって、
前記超音波振動子から物標へ照射される超音波を生成するための、自装置から前記超音波振動子へ送信される送信信号を生成する送信信号生成ステップと、
前記送信信号生成ステップで生成する前記送信信号が矩形波であるとしたときの、前記超音波振動子からの照射信号の立ち下がり時のリンギングの周波数成分が、前記矩形波の立ち下がり近傍から除去された信号波を、前記送信信号生成ステップで生成する前記送信信号とするための、前記送信信号生成ステップへ出力される制御信号を生成する送信信号フィルタステップと、
をコンピュータに実行させるための超音波送信制御プログラム。
【請求項６】
超音波振動子から物標への超音波送信を制御する超音波送信制御方法であって、
前記超音波振動子から物標へ照射される超音波を生成するための、自装置から前記超音波振動子へ送信される送信信号を生成する送信信号生成ステップと、
前記送信信号生成ステップで生成する前記送信信号が矩形波であるとしたときの、前記超音波振動子からの照射信号の立ち下がり時のリンギングの周波数成分が、前記矩形波の立ち下がり近傍から除去された信号波を、前記送信信号生成ステップで生成する前記送信信号とするための、前記送信信号生成ステップへ出力される制御信号を生成する送信信号フィルタステップと、
を備えることを特徴とする超音波送信制御方法。
【請求項７】
超音波振動子から物標への超音波送信を制御する超音波送信制御プログラムであって、
前記超音波振動子から物標へ照射される超音波を生成するための、自装置から前記超音波振動子へ送信される送信信号を生成する送信信号生成ステップと、
（１）前記送信信号生成ステップで生成する前記送信信号が矩形波であるとしたときの、前記超音波振動子からの照射信号の立ち下がり時のリンギングがなくなるように、前記送信信号生成ステップで生成する前記送信信号の立ち下がりの速度を設定するとともに、（２）物標の位置及び速度のうちの少なくともいずれかの検出精度が所定精度になるように、前記超音波振動子からの照射信号の最大パワーの維持時間を設定するために、前記送信信号生成ステップで生成する前記送信信号の最大パワーの維持時間を設定するための、前記送信信号生成ステップへ出力される制御信号を生成する送信信号合成ステップと、
をコンピュータに実行させるための超音波送信制御プログラム。
【請求項８】
超音波振動子から物標への超音波送信を制御する超音波送信制御方法であって、
前記超音波振動子から物標へ照射される超音波を生成するための、自装置から前記超音波振動子へ送信される送信信号を生成する送信信号生成ステップと、
（１）前記送信信号生成ステップで生成する前記送信信号が矩形波であるとしたときの、前記超音波振動子からの照射信号の立ち下がり時のリンギングがなくなるように、前記送信信号生成ステップで生成する前記送信信号の立ち下がりの速度を設定するとともに、（２）物標の位置及び速度のうちの少なくともいずれかの検出精度が所定精度になるように、前記超音波振動子からの照射信号の最大パワーの維持時間を設定するために、前記送信信号生成ステップで生成する前記送信信号の最大パワーの維持時間を設定するための、前記送信信号生成ステップへ出力される制御信号を生成する送信信号合成ステップと、
を備えることを特徴とする超音波送信制御方法。
【発明の詳細な説明】
【技術分野】
【０００１】
本開示は、物標を高い精度で検出する超音波計測技術に関する。
【背景技術】
【０００２】
超音波計測技術を用いて、物標を高い精度で検出することができる（例えば、特許文献１を参照。）。例えば、プランクトン等からの反射信号のドップラーシフトに基づいて、船舶の対水速度や潮流の速度を検出することができる。そして、魚群や海底からの反射信号の伝搬遅延時間に基づいて、魚群や深度を探知することができる。
【先行技術文献】
【特許文献】
【０００３】
【特許文献１】特開２０１５−１６６６９８号公報
【発明の概要】
【発明が解決しようとする課題】
【０００４】
超音波振動子から物標へ照射される超音波を生成するための、超音波振動子へ送信される送信信号が矩形波であるときには、超音波振動子からの照射信号の立ち下がり時及び立ち上がり時のリンギングが発生する。ここで、照射信号の立ち下がり時のリンギングが発生するときには、（１）超音波振動子の残留自己共振のため、送信から受信への切替が遅く、近距離の物標の検出ができず、（２）照射信号の不要な高周波成分のため、ドップラー測定精度が低い。そして、照射信号の立ち上がり時のリンギングが発生するときには、（１）送信信号の不要な高周波成分のため、振動素子が発熱し、（２）不要なリンギングのため、最大パワーの維持時間が短く、（３）照射信号の不要な高周波成分のため、ドップラー測定精度が低い。さらに、最大パワーの維持時間が短いときには、不十分なサンプル時間のため、物標の位置及び速度の検出精度が低い。
【０００５】
そこで、前記課題を解決するために、本開示は、超音波計測技術を用いて、物標を検出するにあたり、近距離の物標の検出を可能にし、物標の位置及び速度の検出を高精度にし、振動素子の不要な発熱を抑制することを目的とする。
【課題を解決するための手段】
【０００６】
上記目的を達成するために、超音波振動子からの照射信号の立ち下がり時（立ち上がり時を含めてもよい。）のリンギングの周波数成分をフィルタ処理により矩形波から除去した信号波を、超音波振動子への送信信号とすることとした。
【０００７】
具体的には、本開示は、超音波振動子から物標への超音波送信を制御する超音波送信制御装置であって、前記超音波振動子から物標へ照射される超音波を生成するための、自装置から前記超音波振動子へ送信される送信信号を生成する送信信号生成部と、前記送信信号生成部からの前記送信信号が矩形波であるとしたときの、前記超音波振動子からの照射信号の立ち下がり時のリンギングの周波数成分が、前記矩形波の立ち下がり近傍から除去された信号波を、前記送信信号生成部からの前記送信信号とするための、前記送信信号生成部へ出力される制御信号を生成する送信信号フィルタ部と、を備えることを特徴とする超音波送信制御装置である。
【０００８】
また、本開示は、超音波振動子から物標への超音波送信を制御する超音波送信制御プログラムであって、前記超音波振動子から物標へ照射される超音波を生成するための、自装置から前記超音波振動子へ送信される送信信号を生成する送信信号生成ステップと、前記送信信号生成ステップで生成する前記送信信号が矩形波であるとしたときの、前記超音波振動子からの照射信号の立ち下がり時のリンギングの周波数成分が、前記矩形波の立ち下がり近傍から除去された信号波を、前記送信信号生成ステップで生成する前記送信信号とするための、前記送信信号生成ステップへ出力される制御信号を生成する送信信号フィルタステップと、をコンピュータに実行させるための超音波送信制御プログラムである。
【０００９】
また、本開示は、超音波振動子から物標への超音波送信を制御する超音波送信制御方法であって、前記超音波振動子から物標へ照射される超音波を生成するための、自装置から前記超音波振動子へ送信される送信信号を生成する送信信号生成ステップと、前記送信信号生成ステップで生成する前記送信信号が矩形波であるとしたときの、前記超音波振動子からの照射信号の立ち下がり時のリンギングの周波数成分が、前記矩形波の立ち下がり近傍から除去された信号波を、前記送信信号生成ステップで生成する前記送信信号とするための、前記送信信号生成ステップへ出力される制御信号を生成する送信信号フィルタステップと、を備えることを特徴とする超音波送信制御方法である。
【００１０】
この構成によれば、照射信号の立ち下がり時のリンギングが発生しない。よって、（１）超音波振動子の残留自己共振がなく、送信から受信への切替が速く、近距離の物標の検出ができ、（２）照射信号の不要な高周波成分がなく、ドップラー測定精度が高い。
【００１１】
また、本開示は、前記送信信号フィルタ部は、前記送信信号生成部からの前記送信信号が前記矩形波であるとしたときの、前記超音波振動子からの照射信号の立ち上がり時のリンギングの周波数成分が、前記矩形波の立ち上がり近傍から除去された信号波を、前記送信信号生成部からの前記送信信号とするための、前記送信信号生成部へ出力される前記制御信号を生成することを特徴とする超音波送信制御装置である。
【００１２】
この構成によれば、照射信号の立ち上がり時のリンギングが発生しない。よって、（１）送信信号の不要な高周波成分がなく、振動素子が発熱せず、（２）照射信号の不要な高周波成分がなく、ドップラー測定精度が高い。そして、最大パワーの維持時間が長くなる。よって、十分なサンプル時間があり、物標の位置及び速度の検出精度が高い。
【００１３】
上記目的を達成するために、（１）超音波振動子からの照射信号の立ち下がり時（立ち上がり時を含めてもよい。）のリンギングをなくすように立ち下がり（立ち上がりを含めてもよい。）の速度を設定した立ち下がり部分（立ち上がり部分を含めてもよい。）と、（２）物標の位置及び速度の検出を高精度にするように維持時間を設定した最大パワー部分と、を合成処理により合わせた信号波を、超音波振動子への送信信号とすることとした。
【００１４】
具体的には、本開示は、超音波振動子から物標への超音波送信を制御する超音波送信制御装置であって、前記超音波振動子から物標へ照射される超音波を生成するための、自装置から前記超音波振動子へ送信される送信信号を生成する送信信号生成部と、（１）前記送信信号生成部からの前記送信信号が矩形波であるとしたときの、前記超音波振動子からの照射信号の立ち下がり時のリンギングがなくなるように、前記送信信号生成部からの前記送信信号の立ち下がりの速度を設定するとともに、（２）物標の位置及び速度のうちの少なくともいずれかの検出精度が所定精度になるように、前記超音波振動子からの照射信号の最大パワーの維持時間を設定するために、前記送信信号生成部からの前記送信信号の最大パワーの維持時間を設定するための、前記送信信号生成部へ出力される制御信号を生成する送信信号合成部と、を備えることを特徴とする超音波送信制御装置である。
【００１５】
また、本開示は、超音波振動子から物標への超音波送信を制御する超音波送信制御プログラムであって、前記超音波振動子から物標へ照射される超音波を生成するための、自装置から前記超音波振動子へ送信される送信信号を生成する送信信号生成ステップと、（１）前記送信信号生成ステップで生成する前記送信信号が矩形波であるとしたときの、前記超音波振動子からの照射信号の立ち下がり時のリンギングがなくなるように、前記送信信号生成ステップで生成する前記送信信号の立ち下がりの速度を設定するとともに、（２）物標の位置及び速度のうちの少なくともいずれかの検出精度が所定精度になるように、前記超音波振動子からの照射信号の最大パワーの維持時間を設定するために、前記送信信号生成ステップで生成する前記送信信号の最大パワーの維持時間を設定するための、前記送信信号生成ステップへ出力される制御信号を生成する送信信号合成ステップと、をコンピュータに実行させるための超音波送信制御プログラムである。
【００１６】
また、本開示は、超音波振動子から物標への超音波送信を制御する超音波送信制御方法であって、前記超音波振動子から物標へ照射される超音波を生成するための、自装置から前記超音波振動子へ送信される送信信号を生成する送信信号生成ステップと、（１）前記送信信号生成ステップで生成する前記送信信号が矩形波であるとしたときの、前記超音波振動子からの照射信号の立ち下がり時のリンギングがなくなるように、前記送信信号生成ステップで生成する前記送信信号の立ち下がりの速度を設定するとともに、（２）物標の位置及び速度のうちの少なくともいずれかの検出精度が所定精度になるように、前記超音波振動子からの照射信号の最大パワーの維持時間を設定するために、前記送信信号生成ステップで生成する前記送信信号の最大パワーの維持時間を設定するための、前記送信信号生成ステップへ出力される制御信号を生成する送信信号合成ステップと、を備えることを特徴とする超音波送信制御方法である。
【００１７】
この構成によれば、照射信号の立ち下がり時のリンギングが発生しない。よって、（１）超音波振動子の残留自己共振がなく、送信から受信への切替が速く、近距離の物標の検出ができ、（２）照射信号の不要な高周波成分がなく、ドップラー測定精度が高い。そして、最大パワーの維持時間が長くなる。よって、十分なサンプル時間があり、物標の位置及び速度の検出精度が高い。
【００１８】
また、本開示は、前記送信信号合成部は、（３）前記送信信号生成部からの前記送信信号が前記矩形波であるとしたときの、前記超音波振動子からの照射信号の立ち上がり時のリンギングがなくなるように、前記送信信号生成部からの前記送信信号の立ち上がりの速度を設定するための、前記送信信号生成部へ出力される前記制御信号を生成することを特徴とする超音波送信制御装置である。
【００１９】
この構成によれば、照射信号の立ち上がり時のリンギングが発生しない。よって、（１）送信信号の不要な高周波成分がなく、振動素子が発熱せず、（２）照射信号の不要な高周波成分がなく、ドップラー測定精度が高い。
【発明の効果】
【００２０】
このように、本開示によれば、超音波計測技術を用いて、物標を検出するにあたり、近距離の物標の検出を可能にし、物標の位置及び速度の検出を高精度にし、振動素子の不要な発熱を抑制することができる。
【図面の簡単な説明】
【００２１】
【図１】本開示の超音波計測システムの構成を示す図である。
【図２】本開示の超音波送信制御処理の流れを示す図である。
【図３】本開示の超音波送信制御処理の流れを示す図である。
【図４】本開示の超音波送信制御処理の内容を示す図である。
【発明を実施するための形態】
【００２２】
添付の図面を参照して本開示の実施形態を説明する。以下に説明する実施形態は本開示の実施の例であり、本開示は以下の実施形態に制限されるものではない。
【００２３】
本開示の超音波計測システムの構成を図１に示す。本開示の超音波計測システムは、超音波振動子１、超音波計測装置２及び物標表示装置３から構成される。超音波計測装置２は、超音波送信制御装置２１及び物標検出装置２２から構成される。超音波送信制御装置２１は、送信信号生成部２１１及び（送信信号フィルタ部２１２又は送信信号合成部２１３）から構成される。
【００２４】
超音波振動子１は、照射信号を送信し、反射信号を受信し、例えば、船舶Ｓの船首の船底に配置される。超音波計測装置２が備える物標検出装置２２は、反射信号に基づいて、物標を検出し、例えば、船舶Ｓの船首の甲板下に配置される。物標表示装置３は、物標の位置や速度を表示し、例えば、船舶Ｓの操舵室に配置される。
【００２５】
例えば、プランクトンＰ等からの反射信号のドップラーシフトに基づいて、船舶Ｓの対水速度や潮流の速度を検出することができる。そして、魚群Ｆや海底Ｕからの反射信号の伝搬遅延時間に基づいて、魚群Ｆや深度を探知することができる。
【００２６】
超音波計測装置２が備える超音波送信制御装置２１は、超音波振動子１から物標への超音波送信を制御するにあたり、図２に示すように送信信号フィルタ部２１２を適用してもよく、図３に示すように送信信号合成部２１３を適用してもよい。
【００２７】
送信信号生成部２１１は、超音波振動子１から物標へ照射される超音波を生成するための、自装置２１から超音波振動子１へ送信される送信信号を生成する。送信信号フィルタ部２１２又は送信信号合成部２１３は、送信信号生成部２１１からの送信信号を所望の送信信号とするための、送信信号生成部２１１へ出力される制御信号を生成する。
【００２８】
送信信号生成部２１１及び（送信信号フィルタ部２１２又は送信信号合成部２１３）は、超音波送信制御装置２１にインストールされたプログラムにより、又は、超音波送信制御装置２１に搭載されたＦＰＧＡ（Ｆｉｅｌｄ  Ｐｒｏｇｒａｍｍａｂｌｅ  Ｇａｔｅ  Ａｒｒａｙ）等により、実現することができる。
【００２９】
本開示の送信信号フィルタ部２１２による超音波送信制御処理の流れを図２に示す。送信信号フィルタ部２１２は、超音波振動子１からの照射信号の立ち下がり時及び立ち上がり時のリンギングの周波数成分をフィルタ処理により矩形波から除去した信号波を、超音波振動子１への送信信号とするための、送信信号生成部２１１へ出力される制御信号を生成する。以下に処理の流れを順序立てて説明する。
【００３０】
送信信号フィルタ部２１２は、自装置２１から超音波振動子１への送信信号として、矩形波を暫定的に設定する（ステップＳ１）。次に、自装置２１から超音波振動子１への送信信号が矩形波であるとしたときの、超音波振動子１からの照射信号の立ち下がり時のリンギングの周波数成分が、矩形波の立ち下がり近傍から除去された信号波を、自装置２１から超音波振動子１への送信信号とする（ステップＳ２）。
【００３１】
送信信号フィルタ部２１２は、自装置２１から超音波振動子１への送信信号が矩形波であるとしたときの、超音波振動子１からの照射信号の立ち上がり時のリンギングの周波数成分が、矩形波の立ち上がり近傍から除去された信号波を、自装置２１から超音波振動子１への送信信号とする（ステップＳ３）。次に、自装置２１から超音波振動子１への送信信号として、上記波形を最終的に確定する（ステップＳ４）。
【００３２】
本開示の送信信号合成部２１３による超音波送信制御処理の流れを図３に示す。送信信号合成部２１３は、（１）超音波振動子１からの照射信号の立ち下がり時及び立ち上がり時のリンギングをなくすように立ち下がり及び立ち上がりの速度を設定した立ち下がり部分及び立ち上がり部分と、（２）物標の位置及び速度の検出を高精度にするように維持時間を設定した最大パワー部分と、を合成処理により合わせた信号波を、超音波振動子１への送信信号とするための、送信信号生成部２１１へ出力される制御信号を生成する。以下に処理の流れを順序立てて説明する。
【００３３】
送信信号合成部２１３は、自装置２１から超音波振動子１への送信信号が矩形波であるとしたときの、超音波振動子１からの照射信号の立ち下がり時のリンギングがなくなるように、自装置２１から超音波振動子１への送信信号の立ち下がりの速度を設定する（ステップＳ５）。
【００３４】
送信信号合成部２１３は、物標の位置及び速度のうちの少なくともいずれかの検出精度が所定精度になるように、超音波振動子１からの照射信号の最大パワーの維持時間を設定するために、自装置２１から超音波振動子１への送信信号の最大パワーの維持時間を設定する（ステップＳ６）。
【００３５】
送信信号合成部２１３は、自装置２１から超音波振動子１への送信信号が矩形波であるとしたときの、超音波振動子１からの照射信号の立ち上がり時のリンギングがなくなるように、自装置２１から超音波振動子１への送信信号の立ち上がりの速度を設定する（ステップＳ７）。
【００３６】
本開示の超音波送信制御処理の内容を図４に示す。左欄は、本開示の超音波送信制御を行わない場合における、自装置２１から超音波振動子１への送信信号及び超音波振動子１からの照射信号を示す。右欄は、本開示の超音波送信制御を行う場合における、自装置２１から超音波振動子１への送信信号及び超音波振動子１からの照射信号を示す。
【００３７】
まず、本開示の超音波送信制御を行わない場合について説明する。自装置２１から超音波振動子１への送信信号は、キャリア波形に対して、矩形波のみであるマスク波形を合成したものである。
【００３８】
超音波振動子１からの照射信号は、立ち下がり時及び立ち上がり時にリンギングを発生させる。ここで、超音波振動子１からの照射信号の立ち下がり時のリンギングが発生するときには、（１）超音波振動子１の残留自己共振のため、送信から受信への切替が遅く、近距離の物標の検出ができず、（２）超音波振動子１からの照射信号の不要な高周波成分のため、ドップラー測定精度が低い。そして、超音波振動子１からの照射信号の立ち上がり時のリンギングが発生するときには、（１）自装置２１から超音波振動子１への送信信号の不要な高周波成分のため、振動素子が発熱し、（２）不要なリンギングのため、最大パワーの維持時間が短く、（３）超音波振動子１からの照射信号の不要な高周波成分のため、ドップラー測定精度が低い。さらに、最大パワーの維持時間が短いときには、不十分なサンプル時間のため、物標の位置及び速度の検出精度が低い。
【００３９】
次に、本開示の超音波送信制御を行う場合について説明する。自装置２１から超音波振動子１への送信信号は、キャリア波形に対して、前後がガウス波（三角波でもよく、ローレンツ波でもよい。）であり中間が矩形波であるマスク波形を合成したものである。
【００４０】
ここで、送信信号フィルタ部２１２は、送信信号生成部２１１に対して、フィルタの時定数又はフィルタのカットオフ周波数を指定する制御信号を出力する。或いは、送信信号合成部２１３は、送信信号生成部２１１に対して、立ち上がり速度、最大パワー維持時間及び立ち下がり速度を指定する制御信号を出力する。
【００４１】
超音波振動子１からの照射信号は、立ち下がり時及び立ち上がり時にリンギングを発生させない。ここで、超音波振動子１からの照射信号の立ち下がり時のリンギングが発生しないときには、（１）超音波振動子１の残留自己共振がなく、送信から受信への切替が速く、近距離の物標の検出ができ、（２）超音波振動子１からの照射信号の不要な高周波成分がなく、ドップラー測定精度が高い。そして、超音波振動子１からの照射信号の立ち上がり時のリンギングが発生しないときには、（１）自装置２１から超音波振動子１への送信信号の不要な高周波成分がなく、振動素子が発熱せず、（２）不要なリンギングがなく、最大パワーの維持時間が長く、（３）超音波振動子１からの照射信号の不要な高周波成分がなく、ドップラー測定精度が高い。さらに、最大パワーの維持時間が長いときには、十分なサンプル時間があり、物標の位置及び速度の検出精度が高い。
【産業上の利用可能性】
【００４２】
本開示の超音波送信制御装置、超音波送信制御プログラム及び超音波送信制御方法は、超音波計測技術を用いて、物標を検出するにあたり、近距離の物標の検出を可能にし、物標の位置及び速度の検出を高精度にし、振動素子の不要な発熱を抑制するために、船舶の船底や車両の側面に配置される超音波振動子に対して有利に適用することができる。
【符号の説明】
【００４３】
１：超音波振動子
２：超音波計測装置
３：物標表示装置
２１：超音波送信制御装置
２２：物標検出装置
２１１：送信信号生成部
２１２：送信信号フィルタ部
２１３：送信信号合成部
Ｓ：船舶
Ｐ：プランクトン
Ｆ：魚群
Ｕ：海底
【図１】
2018021786.tif 000003
【図２】
2018021786.tif 000004
【図３】
2018021786.tif 000005
【図４】
2018021786.tif 000006